(57)【要約】【課題】表面板への枠体の取付け施工性及び見栄えを向上させることのできる壁面パネルを提供する。【解決手段】枠体９は、外端部に外向きの被係合部７ａ，８ａを有する上下１対の横枠７と左右１対の縦枠８とにより形成され、表面板６の上下左右の周縁部には、裏面内側に折り返された折返し係合部６ｂが設けられ、折返し係合部６ｂに横枠７及び縦枠８の被係合部７ａ，８ａが内側より係合されて枠体９が形成されるとともに、裏面板１２が横枠７及び縦枠８に取付けられることにより表面板６の裏面に枠体９が保持される。【選択図】図２
2020128661.tif 000002
【特許請求の範囲】
【請求項１】
表面板と、該表面板の裏面に設けられる枠体と、前記表面板の裏面と前記枠体とにより囲まれた収容空間に収容される機能性裏打ち材と、前記機能性裏打ち材の裏面を隠蔽する裏面板とを備える壁面パネルであって、
前記枠体は、外端部に外向きの被係合部を有する上下１対の横枠と左右１対の縦枠とにより形成され、前記表面板の上下左右の周縁部には、裏面内側に折り返された折返し係合部が設けられ、前記折返し係合部に前記横枠及び縦枠の被係合部が内側より係合されて前記枠体が形成されるとともに、前記裏面板が前記横枠及び縦枠に取付けられることにより前記表面板の裏面に前記枠体が保持されることを特徴とする壁面パネル。
【請求項２】
前記表面板は、全表面に多数の貫通孔を有するパンチングメタルにより形成され、前記機能性裏打ち材は吸音材であることを特徴とする請求項１に記載の壁面パネル。
【請求項３】
前記表面板の上下左右の周縁部には、後方に延びる側面部が形成され、該側面部の後端に前記折返し係合部が設けられていることを特徴とする請求項１または２に記載の壁面パネル。
【請求項４】
前記被係合部の外端部には、先端が前記表面板の裏面に当接する前向折曲部が形成されていることを特徴とする請求項１ないし３のいずれかに記載の壁面パネル。
【請求項５】
前記表面板の裏面と前記横枠及び縦枠との対向面間にスペーサ部材を挟入することにより、前記枠体が前記表面板の前記折返し係合部の内面に圧接されることを特徴とする請求項１ないし４のいずれかに記載の壁面パネル。
【請求項６】
前記横枠及び縦枠の内端部に後向折曲部を設け、該後向折曲部に前記裏面板の外周縁に形成された前向折曲部を外嵌させて、ねじにより固定されていることを特徴とする請求項１ないし５のいずれかに記載の壁面パネル。
【請求項７】
上下左右に対向する前記折返し係合部のいずれか一方の両端部には切欠部が形成され、前記１対の横枠と縦枠とのいずれか一方の長さを、両端部が互いに対向する前記切欠部に嵌合されるように前記表面板の上下寸法または左右寸法とほぼ等しい寸法とするとともに、前記横枠と縦枠とのいずれか他方の長さを、前記切欠部に嵌合された１対の横枠または縦枠の対向面間に挟入される寸法としたことを特徴とする請求項１ないし６のいずれかに記載の壁面パネル。
【発明の詳細な説明】
【技術分野】
【０００１】
本発明は、間仕切パネル等に使用される、例えば吸音機能を備える壁面パネルに関する。
【背景技術】
【０００２】
吸音機能を備える従来の壁面パネルとしては、特許文献１に記載されているように、表面板としての多孔板及び多孔板に取り付けられた吸音材を保持する保持枠を、凹状をなす本体枠の開口部内に収容してねじにより着脱自在に固定したものや、特許文献２に記載されているように、表面板としてのパンチングメタルからなる化粧板の左右両端部を裏面側に折返し、この折返し部にＬ字状をなす外枠を外側方に突出するように溶着し、化粧板の裏面と左右の外枠とにより囲まれた空間部に吸音材としてのグラスウールを収容したものがある。
【先行技術文献】
【特許文献】
【０００３】
【特許文献１】実開平７−１１１０号公報（第７頁、第３図）
【特許文献２】特開平８−９３０７４号公報（第２頁、第１図）
【発明の概要】
【発明が解決しようとする課題】
【０００４】
特許文献１に記載されている壁面パネル(防音パネル)においては、吸音材及び多孔板を保持する保持枠が、凹状をなす本体枠の開口部内にねじにより固定されているので、本体枠と保持枠との取付け施工性が悪い。また、本体枠の両側部が吸音材及び多孔板を保持する保持枠の側方に大きく突出しているため、支柱等の支持体に複数の壁面パネルを隣接させて取り付ける場合に、本体枠の両側部が一定間隔おきに露出し、見栄えが悪くなる。
【０００５】
また、特許文献２に記載されている壁面パネル(消音プレート)においては、グラスウールを保持可能な外枠が、化粧板の左右両端部の折返し部に溶着されているため、溶接工程が必要となり、化粧板への外枠の取付け施工性が悪い。また、外枠は化粧板の両側方に突出しているので、特許文献１と同様、支持体に複数の壁面パネルを隣接させて取り付ける場合に見栄えが悪くなる。
【０００６】
本発明は、このような問題点に着目してなされたもので、表面板への枠体の取付け施工性及び見栄えを向上させることのできる壁面パネルを提供することを目的とする。
【課題を解決するための手段】
【０００７】
前記課題を解決するために、本発明の壁面パネルは、
表面板と、該表面板の裏面に設けられる枠体と、前記表面板の裏面と前記枠体とにより囲まれた収容空間に収容される機能性裏打ち材と、前記機能性裏打ち材の裏面を隠蔽する裏面板とを備える壁面パネルであって、
前記枠体は、外端部に外向きの被係合部を有する上下１対の横枠と左右１対の縦枠とにより形成され、前記表面板の上下左右の周縁部には、裏面内側に折り返された折返し係合部が設けられ、前記折返し係合部に前記横枠及び縦枠の被係合部が内側より係合されて前記枠体が形成されるとともに、前記裏面板が前記横枠及び縦枠に取付けられることにより前記表面板の裏面に前記枠体が保持されることを特徴としている。
この特徴によれば、表面板の周縁部に設けられた折返し係合部に、横枠及び縦枠の外端部の被係合部を内側より係合させるだけで枠体を容易に形成することができるとともに、１対の横枠と縦枠同士が裏面板を介して連結され、枠体は表面板の裏面に安定よく保持される。従って、表面板の裏面への枠体の取付けに、ねじや接着剤、溶接等の固定手段は不要となり、枠体の取付け施工性がよくなる。また、枠体は表面板の裏面に設けられていることから表面側から見えないので壁面パネルのデザイン性や見栄えが向上する。
【０００８】
前記表面板は、全表面に多数の貫通孔を有するパンチングメタルにより形成され、前記機能性裏打ち材は吸音材であることを特徴としている。
この特徴によれば、壁面パネルを軽量化することができるとともに、吸音機能を有する壁面パネルを提供することができる。
【０００９】
前記表面板の上下左右の周縁部には、後方に延びる側面部が形成され、該側面部の後端に前記折返し係合部が設けられていることを特徴としている。
この特徴によれば、枠体が表面板の裏面から離間して保持されるので、表面板の裏面と枠体とにより囲まれた収容空間に、吸音材等の厚さの大きな機能性裏打ち材を収容することができる。また、表面板がパンチングメタルにより形成されている場合には、表面部と側面部のデザインに連続性が生じるので、壁面パネルの見栄えが向上する。
【００１０】
前記被係合部の外端部には、先端が前記表面板の裏面に当接する前向折曲部が形成されていることを特徴としている。
この特徴によれば、前向折曲部がスペーサとして機能するので、枠体を表面板の裏面から離間させて保持することができ、例えば組み立て途中の仮保持をすることができ、枠体を表面板の裏面から離間させて保持することができ、枠体への機能性裏打ち材の収容作業が容易となる。
【００１１】
前記表面板の裏面と前記横枠及び縦枠との対向面間にスペーサ部材を挟入することにより、前記枠体が前記表面板の前記折返し係合部の内面に圧接されることを特徴としている。
この特徴によれば、スペーサ部材により枠体と表面板とが圧着されており、枠体が表面板の裏面に安定的に保持されるので、枠体への機能性裏打ち材の収容作業が容易となる。
【００１２】
前記横枠及び縦枠の内端部に後向折曲部を設け、該後向折曲部に前記裏面板の外周縁に形成された前向折曲部を外嵌させて、ねじにより固定されていることを特徴としている。
この特徴によれば、枠体への裏面板の取付け作業性が向上するとともに、枠体が上下左右方向に位置ずれするのを確実に防止することができる。また、後向折曲部により機能性裏打ち材の外周面を安定よく保持することができる。
【００１３】
上下左右に対向する前記折返し係合部のいずれか一方の両端部には切欠部が形成され、前記１対の横枠と縦枠とのいずれか一方の長さを、両端部が互いに対向する前記切欠部に嵌合されるように前記表面板の上下寸法または左右寸法とほぼ等しい寸法とするとともに、前記横枠と縦枠とのいずれか他方の長さを、前記切欠部に嵌合された１対の横枠または縦枠の対向面間に挟入される寸法としたことを特徴としている。
この特徴によれば、横枠及び縦枠の端部同士を重合させることなく、枠体を同一平面状に形成することができるので、裏面からの枠体及び壁面パネルの見栄えが向上する。
【図面の簡単な説明】
【００１４】
【図１】本発明の実施例における壁面パネルを用いて間仕切パネルを形成した例の斜視図である。
【図２】壁面パネルの分解斜視図である。
【図３】壁面パネルの背面図である。
【図４】図３のIV−IV線の拡大横断面図である。
【図５】壁面パネルの組立て手順を示すもので、（ａ）は、横枠及び縦枠をスペーサ部材により折返し係合部に圧接して枠体を形成した状態の断面図、（ｂ）は、表面板と枠体との間の収容空間に機能性裏打ち材を収容した状態の断面図、(ｃ)は、枠体に裏面板を取り付けた状態の断面図である。
【図６】本発明の壁面パネルの変形例を示す横断面図である。
【発明を実施するための形態】
【００１５】
本発明に係る壁面パネルを実施するための形態を実施例に基づいて以下に説明する。
【実施例】
【００１６】
実施例１に係る壁面パネルにつき、図１から図６を参照して説明する。以下、図１及び図３の紙面上下左右方向を基準に説明する。
【００１７】
図１は、本発明の壁面パネルを用いて例えば吸音性を備える間仕切パネルを形成した例を示すもので、間仕切パネル１は、床面に所定間隔おきに立設された左右複数の支柱２の前後両面に複数の壁面パネル３を取付けて形成されている。
【００１８】
各支柱２の前面及び後面の左右両側部には、縦長のスリット４が上下方向に所定間隔おきに列設され、左右に隣接する支柱２，２の前後両面の左右２個のスリット４，４に嵌合された上下２個ずつの係止金具５，５に、壁面パネル３の裏面の後述する左右の縦枠８、８に形成された上下１対の係合孔１３，１３を係止させることにより、左右に隣接する複数の支柱２の前後両面に、複数の壁面パネル３が、裏面同士を対向させて上下左右方向に隙間なく並べて取り付けられている。
【００１９】
次に、図２ないし図４を参照して、吸音機能を有する壁面パネル３の構成を詳細に説明する。なお、図２においては、便宜上、壁面パネル３の裏面側を上方に向けた水平の分解斜視図としてある。壁面パネル３は、表面板６と、この表面板６の裏面に設けられる上下１対の横枠７，７及び左右１対の縦枠８，８よりなる枠体９と、表面板６の裏面と横枠７，７及び縦枠８，８との間に挟入される上下左右１対ずつのスペーサ部材１０と、表面板６の裏面と枠体９とにより囲まれた収容空間に収容される機能性裏打ち材１１と、この機能性裏打ち材１１の裏面を隠蔽するように枠体９に取り付けられる、上下左右の外周縁に前向折曲部１２ａが形成された裏面板１２とを備えている。
【００２０】
表面板６は、例えば全面に多数の貫通孔が形成されたパンチングメタルにより形成され、横枠７と縦枠８及び裏面板１２は、鋼板等の金属板により形成され、スペーサ部材１０は、弾性を有する硬質ウレタンフォームまたは吸音性を有する不織布やフェルト等により形成され、機能性裏打ち材１１は、グラスウール、ロックウール、不織布、スポンジ等の吸音材により形成されている。なお、グラスウールやロックウールは断熱性も有しているので、これらを機能性裏打ち材１１に用いることが好ましい。
【００２１】
表面板６の上下左右の周縁部には、表面板６の上下左右の端部を裏面側に折曲することにより、後方に延びる側面部６ａと、この側面部６ａの後端から表面板６の裏面内側に直角に折り返された折返し係合部６ｂとが一体的に連設されている。上下の折返し係合部６ｂの両側端部には、左右の縦枠８，８の上下の端部が嵌合されるように切欠部６ｃ，６ｃが形成されている。
【００２２】
上下の横枠７、７及び左右の縦枠８，８の外端部には、上下左右の折返し係合部６ｂの内面に係合される被係合部７ａ，８ａが、折返し係合部６ｂの板厚分だけ段落させて形成されている。被係合部７ａ，８ａを折返し係合部６ｂの板厚分だけ段落させると、被係合部７ａ，８ａを折返し係合部６ｂの内面に係合させた際に、被係合部７ａ，８ａを除いた横枠７及び縦枠８の裏面と、折返し係合部６ｂの裏面とを同一面に整合させることができる(図４参照)。
【００２３】
横枠７及び縦枠８の被係合部７ａ，８ａの外端には、表面板６の裏面と折返し係合部６ｂとの対向面間に嵌合される前向折曲部７ｂ，８ｂが連設されている。被係合部７ａ，８ａを折返し係合部６ｂの内面に係合させた際、前向折曲部７ｂ，８ｂの先端が表面板６の裏面に当接または近接するとともに、外面が表面板６の側面部６ａの内面に当接するようになっている。これにより、前向折曲部７ｂ，８ｂは、スペーサとしての機能を有し、表面板６の裏面と横枠７及び縦枠８との間に空間を形成することができる。また、前向折曲部７ｂ，８ｂの外面を側面部６ａの内面に当接させることにより、横枠７及び縦枠８を上下左右方向に位置決めすることができる。
【００２４】
横枠７，７及び縦枠８，８の内端縁には、裏面板１２の前向折曲部１２ａを固定するための後向折曲部７ｃ，８ｃが一体的に連設されている。縦枠８の後向折曲部８ｃの上下の端部は、横枠７の幅寸法(上下寸法)に相当する分だけ切り欠かれ、枠体９を形成した際に、横枠７，７の後向折曲部７ｃと縦枠８，８の後向折曲部８ｃの端部同士が直角をなして当接または近接するようになっている。
【００２５】
縦枠８，８は、上下に対向する側面部６ａ，６ａ間に嵌合されるように、それらの対向面間の寸法とほぼ等しい上下寸法に形成されている。また、両縦枠８における被係合部８ａを除いた内側部の幅寸法(左右寸法)は、両縦枠８の上下の端部が横枠７の切欠部６ｃに嵌合される寸法に形成されている。横枠７，７は、上下の折返し係合部６ｂの左右寸法とほぼ等しい寸法、すなわち切欠部６ｃに嵌合された縦枠８，８の対向面間の寸法とほぼ等しい左右寸法に形成されている。縦枠８，８における被係合部８ａと近接する部分には、前述したように、間仕切パネル１の支柱２に取付けた上下の係止金具５に係合される上下１対ずつの縦長の係合孔１３，１３が形成されている。被係合部８ａと近接する部分に係合孔１３が形成されているので、間仕切パネル１を形成する際に、裏面板１２を含む後方に膨出する部分が左右の支柱２に干渉するのが防止される。
【００２６】
上下左右のスペーサ部材１０は、それぞれ上下の横枠７及び左右の縦枠８の長さとほぼ等しい長さに形成されるとともに、その断面形状は、図４に示すように、表面板６の裏面と横枠７及び縦枠８との間の空間形状とほぼ等しい形状に形成されている。なお、スペーサ部材１０が弾性変形または圧縮可能な材質である場合には、これを空間に押し込んだとき、折返し係合部６ｂと横枠７及び縦枠８との間の空間形状に沿って変形するので、折返し係合部６ｂと横枠７及び縦枠８との間の空間の形状と等しい断面形状とする必要はない。
【００２７】
次に、図５を参照して、壁面パネル３の組立て手順について説明する。まず、（ａ）に示すように、表面板６を裏面側を上方に向けて図示しない作業台に水平に載置し、表面板６の裏面と上下左右の折返し係合部６ｂとの間の空間に、上下の横枠７及び左右の縦枠８の被係合部７ａ，８ａを内方より嵌合した後、表面板６の裏面と横枠７及び縦枠８との間の空間にスペーサ部材１０を挟入し、表面板６の上下左右の折返し係合部６ｂの内面に、上下左右の被係合部７ａ，８ａを係合させて枠体９を形成する。
【００２８】
この際、被係合部７ａ，８ａの外端縁に形成された前向折曲部７ｂ，８ｂにより、表面板６の裏面と横枠７及び縦枠８との間に空間を形成することができるので、スペーサ部材１０の挿入作業が容易となる。また、上下の折返し係合部６ｂの両端部に切欠部６ｃを設けるとともに、横枠７，７の左右寸法を、切欠部６ｃに嵌合された縦枠８，８の対向面間の寸法とほぼ等しい寸法に形成してあるので、横枠７及び縦枠８の端部同士を重合させることなく、枠体９を同一平面状に形成することができ、裏面からの枠体９及び壁面パネル３の見栄えを向上させることができる。
【００２９】
スペーサ部材１０を挟入すると、表面板６の折返し係合部６ｂの内面に上下左右の被係合部７ａ，８ａを圧接させることができるので、上下の横枠７、左右の縦枠８及びそれらによって形成される枠体９が表面板６の折返し係合部６ｂに安定よく保持される。
【００３０】
次いで、図５(ｂ)に示すように、表面板６の裏面と枠体９とにより囲まれた収容空間に、所要厚さの機能性裏打ち材１１を収容する。この際、枠体９は安定よく保持されているので、機能性裏打ち材１１の収容作業を容易に行うことができる。また、横枠７及び縦枠８内周縁には、後向折曲部７ｃ，８ｃが形成されているので、厚さの大きな機能性裏打ち材１１を使用して吸音性能を高めることができるとともに、機能性裏打ち材１１の外周面が安定よく保持される。
【００３１】
次いで、図５(ｃ)に示すように、上下の横枠７及び左右の縦枠８に形成された後向折曲部７ｃ，８ｃに、裏面板１２の外周縁に形成された前向折曲部１２ａを外嵌し、上下左右の前向折曲部１２ａと上下の横枠７及び左右の縦枠８の後向折曲部７ｃ，８ｃとの複数箇所をビス１４により固定し、機能性裏打ち材１１の裏面を裏面板１２により隠蔽する。裏面板１２を取付けると、横枠７，７及び縦枠８，８同士が裏面板１２を介して連結され、枠体９を安定よく保持することができる。以上の手順により、壁面パネル３の組立作業は終了する。
【００３２】
以上説明したように、本実施例の壁面パネル３においては、表面板６の上下左右の周縁部に形成された折返し係合部６ｂに、横枠７及び縦枠８の外端部の被係合部７ａ，８ａを内面側より係合させるだけで、枠体９を容易に形成することができるとともに、横枠７と縦枠８同士が裏面板１２を介して連結されるので、枠体９を表面板６の裏面に安定よく保持することができる。従って、表面板６の裏面への枠体９の取付けに、ねじや接着剤、溶接等の固定手段は不要となり、枠体９の取付け施工性がよくなる。また、枠体９は表面側から見えないので壁面パネル３のデザイン性や見栄えが向上する。
【００３３】
さらに、表面板６の上下左右の周縁部には、後方に延びる側面部６ａが形成されているので、表面板６の裏面と枠体９とにより囲まれた収容空間に、吸音材よりなる厚さの大きな機能性裏打ち材１１を収容して、吸音性能を高めることができるとともに、パンチングメタルよりなる表面板６の表面部と側面部６ａのデザインに連続性が生じるので壁面パネル３の見栄えが向上する。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、上下の横枠７及び左右の縦枠８に後向折曲部７ｃ，８ｃを設け、それらの後向折曲部７ｃ，８ｃに裏面板１２の前向折曲部１２ａを外嵌してビス１４により固定しているが、図６の変形例に示すように、後向折曲部７ｃ，８ｃを省略し、平板状の裏面板１２の周縁部を横枠７及び縦枠８の内端部にビス１４により固定するようにしてもよい。
【００３６】
また、前記実施例では、吸音機能を有する壁面パネル３としたが、機能性裏打ち材１１に、グラスウールや不織布などにシリカゲル等を含ませた調湿材を使用して、調湿機能を有する壁面パネルとしたり、発泡樹脂系の断熱材を使用して断熱機能を有する壁面パネルとしたり、石膏ボードやシリカボード等の裏打ち材を使用して耐火性の壁面パネルとすることもできる。断熱機能及び耐火性の壁面パネルとする場合には、貫通孔のない表面板を使用すればよい。
【００３７】
さらに、前記実施例では、横枠７及び縦枠８に前向折曲部７ｂ，８ｂを形成しているが、それらを省略して実施することもできる。また、スペーサ部材１０を省略し、表面板６の裏面と横枠７及び縦枠８における上下左右の被係合部７ａ，８ａとの間に、機能性裏打ち材１１と同じ材質の充填材を挿入するようにしてもよい。
【符号の説明】
【００３８】
１                間仕切パネル
２                支柱
３                壁面パネル
４                スリット
５                係止金具
６                表面板
６ａ              側面部
６ｂ              折返し係合部
６ｃ              切欠部
７                横枠
７ａ              被係合部
７ｂ              前向折曲部
７ｃ              後向折曲部
８                縦枠
８ａ              被係合部
８ｂ              前向折曲部
８ｃ              後向折曲部
９                枠体
１０              スペーサ部材
１１              機能性裏打ち材
１２              裏面板
１２ａ            前向折曲部
１３              係合孔
１４              ビス
【図１】
2020128661.tif 000003
【図２】
2020128661.tif 000004
【図３】
2020128661.tif 000005
【図４】
2020128661.tif 000006
【図５】
2020128661.tif 000007
【図６】
2020128661.tif 000008